(57)【要約】【課題】塗料スラッジを効率よく取水及び送水することができる塗料スラッジの取水装置及び送水装置を提供する。【解決手段】塗料スラッジの取水装置１にあっては、塗料スラッジが取水部２のＶノッチ５をオーバーフローして蛇腹３内に流入し、導水部材１０及び送水ポンプ１５を介して送水口１６から送水される。導水部材１０にエアホース１３を介して空気が供給される。この空気が送水ポンプ１５内で細かく分散されてスラッジに付着するので、送水ポンプ１５よりも下流側の送水部材２２の内面にスラッジが付着することが防止される。また、空気供給用のノズル１１が導水部材１０の末端側に設けられており、ノズル１１からの空気が送水ポンプ１５の直下に流入するので、空気が効率よく送水ポンプ１５に取り込まれる。【選択図】図１
2019126762.tif 000002
【特許請求の範囲】
【請求項１】
水面に浮上した塗料スラッジを取り込むための取水部と、
該取水部に導水部材を介して接続された送水ポンプと、
該導水部材に空気を供給する手段と
を有する塗料スラッジの取水装置。
【請求項２】
前記送水ポンプは、吸込口が底面に設けられており、
前記導水部材は、後端側が該吸込口に連結され、先端側に前記取水部が連結されていることを特徴とする請求項１の塗料スラッジの取水装置。
【請求項３】
前記空気を前記導水部材の後端側に供給するように前記空気供給手段が構成されていることを特徴とする請求項２の塗料スラッジの取水装置。
【請求項４】
前記取水部は、上下方向に伸縮可能な蛇腹を備えており、
該取水部の上端から取水し、下端から前記導水部材に流出させるよう構成されており、
該取水部の上部にフロートが設けられていることを特徴とする請求項１〜３のいずれかの塗料スラッジの取水装置。
【請求項５】
塗料スラッジを送水するラインと、該ラインに設けられたポンプとを有する塗料スラッジの送水装置において、該ポンプよりも上流側に空気を供給する手段を備えたことを特徴とする塗料スラッジの送水装置。
【請求項６】
前記ラインに対し、請求項１〜４のいずれかの塗料スラッジの取水装置からの塗料スラッジが供給される請求項５の塗料スラッジの送水装置。
【発明の詳細な説明】
【技術分野】
【０００１】
本発明は、塗装ブース循環水の水面に浮上した塗料スラッジを取水する装置に関する。また、本発明は塗料スラッジを送水する装置に関する。
【背景技術】
【０００２】
湿式塗装ブースによって塗装を行う場合、未塗着塗料は捕集水に捕集される。塗料を捕集した捕集水は、集水槽に導入される。
【０００３】
特許文献１には、集水槽の水面上に浮上した塗料スラッジを、フロート付き吸込口、ホース及び容積式ポンプによって加圧浮上槽に送水すると共に、加圧浮上槽に加圧水を供給して塗料スラッジと捕集水とを浮上分離し、捕集水を再使用する塗料粕捕集回収装置が記載されている。
【先行技術文献】
【特許文献】
【０００４】
【特許文献１】特開２０１２−２００６９３号公報
【発明の概要】
【発明が解決しようとする課題】
【０００５】
特許文献１の回収装置にあっては、取水口から水と共に取り込まれた塗料スラッジがホース等の部材内面に付着するため、ホース等が閉塞し易い。本発明は、塗料スラッジを効率よく取水及び送水することができる塗料スラッジの取水装置及び送水装置を提供することを目的とする。
【課題を解決するための手段】
【０００６】
本発明の塗料スラッジの取水装置は、水面に浮上した塗料スラッジを取り込むための取水部と、該取水部に導水部材を介して接続された送水ポンプと、該導水部材に空気を供給する手段とを有する。
【０００７】
本発明の一態様では、前記送水ポンプは、吸込口が底面に設けられており、前記導水部材は、後端側が該吸込口に連結され、先端側に前記取水部が連結されている。
【０００８】
本発明の一態様では、前記空気を前記導水部材の後端側に供給するように前記空気供給手段が構成されている。
【０００９】
本発明の一態様では、前記取水部は、上下方向に伸縮可能な蛇腹を備えており、該取水部の上端から取水し、下端から前記導水部材に流出させるよう構成されており、該取水部の上部にフロートが設けられている。
【００１０】
本発明の塗料スラッジの送水装置は、塗料スラッジを送水するラインと、該ラインに設けられたポンプとを有する塗料スラッジの送水装置において、該ポンプよりも上流側に空気を供給する手段を備えたことを特徴とする。
【００１１】
本発明の一態様では、この送水装置のラインに対し、前記取水装置からの塗料スラッジが供給される。
【発明の効果】
【００１２】
本発明の塗料スラッジの取水装置にあっては、取水部から塗料スラッジ及び水が導水部材及び送水ポンプを介して送水される。本発明では、この導水部材内にエアポンプによって空気が注入される。この空気は、送水ポンプ内で撹拌されることにより微細気泡となって塗料スラッジに分散され、その一部は塗料スラッジに付着する。これにより、送水ポンプ以降の送水経路内で塗料スラッジが凝集したり、経路内面に付着することが防止される。また、微細気泡が付着した塗料スラッジが浮上槽に導入された場合、塗料スラッジが効率よく浮上分離処理される。
【００１３】
送水ポンプを吸込口が下端となるように配置し、エアポンプからの空気を吸込口の下方に供給することにより、空気が塗料スラッジと共に効率よく送水ポンプに吸い込まれる。
【図面の簡単な説明】
【００１４】
【図１】実施の形態に係る塗料スラッジの取水装置の側面図である。
【図２】捕集水の回収システムを示すフロー図である。
【図３】捕集水の回収システムを示すフロー図である。
【発明を実施するための形態】
【００１５】
以下、図面を参照して実施の形態について説明する。図１は実施の形態に係る塗料スラッジの取水装置１の側面図である。この塗料スラッジの取水装置１は、取水部２と、導水部材１０と、送水ポンプ１５とを備えている。
【００１６】
取水部２は、上下方向に伸縮可能な蛇腹３を備えており、蛇腹３の上端から塗料スラッジを取水し、蛇腹３の下端から導水部材１０に塗料スラッジを流出させるよう構成されている。
【００１７】
蛇腹３の上端の周回壁４に複数のＶノッチ５が設けられており、該Ｖノッチ５を通って塗料スラッジが蛇腹３内に流入する。周回壁４の内周側にフロート（図示略）が設けられており、Ｖノッチ５が常に水面位に配置される。
【００１８】
導水部材１０は、中空箱形状のものであり、長手方向の一端側（流水方向の先端側）の上面に取水部２が連結され、他端側（後端側）の上面に送水ポンプ１５が連結されている。導水部材１０の該一端側の上面には、蛇腹３内からの塗料スラッジを導水部材１０内に流入させる開口が設けられている。導水部材１０の他端側の上面には、導水部材１０内の水の流出口が設けられており、送水ポンプ１５の吸込口が該流出口に連結されている。
【００１９】
導水部材１０の側面の該後端側には、導水部材１０内に空気を流入させるためのノズル１１が接続されている。ノズル１１にはバルブ１２が設けられている。ノズル１１にエアホース１３の一端が接続されており、該エアホース１３の他端は、コンプレッサー等のエアポンプ（図示略）に接続されている。送水ポンプ１５の送水口１６に送水ホース等の送水部材が接続される。
【００２０】
このように構成された塗料スラッジの取水装置１にあっては、塗料スラッジが取水部２のＶノッチ５をオーバーフローして蛇腹３内に流入し、導水部材１０及び送水ポンプ１５を介して送水口１６から送水される。導水部材１０にエアホース１３を介して空気が供給される。この空気が送水ポンプ１５内で細かく分散されて塗料スラッジに付着するので、送水ポンプ１５及びそれよりも下流側の送水部材の内面に塗料スラッジが付着することが防止される。また、空気供給用のノズル１１が導水部材１０の後端側に設けられており、ノズル１１からの空気が送水ポンプ１５の吸込口の直下に流入するので、空気が効率よく送水ポンプ１５に取り込まれる。
【００２１】
図２に示すように、湿式塗装ブースで塗料を捕集した捕集水が集水槽（循環水ピット）２０に流入する。この集水槽２０内の水面付近に塗料スラッジの取水装置１がフロート２１によって配置される。
【００２２】
送水ポンプ１５の送水口１６に接続されたホース等の送水部材２２を介して塗料スラッジが浮上槽３０に送水され、浮上分離が行われる。なお、必要に応じ、送水部材２２に高分子凝集剤が添加される。浮上槽３０でスラッジが分離された水は回収され、湿式塗装ブースの捕集水として再利用される。浮上したスラッジは、レーキ等により掻き寄せられ、矢印Ｓの如く排出される。
【００２３】
図２の回収システムによると、ノズル１１から導水部材１０に空気が供給され、この空気がポンプ１５内で細かく分散して塗料スラッジに付着するので、塗料スラッジが送水部材２２の内面に付着することが防止される。また、浮上槽３０で塗料スラッジが効率よく浮上分離される。
【００２４】
なお、塗料スラッジの取水装置１で空気を吹き込まない従来の回収システムでは、浮上槽３０内の水の一部がストレーナ３１、加圧水ポンプ３２、及び配管３３を介して循環されることにより、浮上槽３０に加圧水（空気を加圧して溶解させた水）が供給され、塗料スラッジの浮上分離が行われる。本発明では、塗料スラッジの取水装置１で空気を吹き込むので、ストレーナ３１、加圧水ポンプ３２及び配管３３よりなる加圧水供給機構を省略することができる。
【００２５】
図２において、ストレーナ３１、加圧水ポンプ３２及び配管３３を設置しない構成の回収システムを用いて捕集水回収運転を行ったところ、ノズル１１から空気を吹き込まなかった場合、浮上槽３０でのＳＳの除去率は３０〜４２％であった。これに対し、ノズル１１から空気を吹き込むことにより、ＳＳ除去率はほぼ１００％となることが認められた。これにより、本発明の塗料スラッジの取水装置によると、塗料スラッジを十分に分離して捕集水を回収できることが認められた。また、加圧水供給機構を設置しないので、設備コストを低減できると共に、加圧水ポンプの電力コスト及びメンテナンスコストを削減できる。
【００２６】
また、ストレーナ３１を設置しないことにより、ストレーナの目詰りを除去するためのメンテナンスを省略することができる。
【００２７】
図３は、本発明の塗料スラッジの送水装置を図２のフローに組み込んだ実施の形態を示している。
【００２８】
図３では、ラインとしての送水部材２２にポンプとしてブースターポンプ４０が設置されており、このブースターポンプ４０の上流側の送水部材２２内に空気供給手段としてのコンプレッサ４１から空気が供給されるよう構成されている。この空気は、ブースターポンプ４０で細かく分散されて塗料スラッジに付着するので、ブースターポンプ４０以降のライン内面への塗料スラッジの付着が防止される。また、浮上槽３０での塗料スラッジの浮上分離も効率よく行われる。
【００２９】
なお、図３の場合、取水装置１での空気供給は省略されてもよい。
【符号の説明】
【００３０】
１  取水装置
２  取水部
３  蛇腹
１０  導水部材
１１  ノズル
１５  送水ポンプ
２０  集水槽
２２  送水部材
３０  浮上槽
３１  ストレーナ
３２  加圧水ポンプ
４０  ブースターポンプ
【図１】
2019126762.tif 000003
【図２】
2019126762.tif 000004
【図３】
2019126762.tif 000005